(57)【要約】【課題】  平成１８年６月の道路交通法の改正によって、違法駐車対策の強化の推進を図るための規定が整備されたことに伴い、一般市民の憩いの場所とも言える公園内がオートバイや自転車の駐輪場として占領される事態になって来ています。しかし、これはオートバイや自転車の専用駐輪場の設置数が少ないことにもよりますが、いずれにしても一般の公園内を駐輪場代わりに使用することだけは止めなければなりません。この問題を少しでも解決するため、自転車及びオートバイ乗り入れ阻止ゲートを提供する。【解決手段】  この阻止ゲートを形成する円形状のゲートの中心部に円柱ゲートを備えて、ゲートの通行帯を曲線状に形成することにより、長い直線状の形態の自転車及びオートバイには、通行帯の曲線状の両側壁が障害となるため、この阻止ゲートを公園等の入口に設置すれば、自転車及びオートバイは公園等の中に乗り入れすることができない。【選択図】図５
2009013760.tif 000002
【特許請求の範囲】
【請求項１】
・中ゲート部
・端ゲート部
・円柱ゲート部
・阻止ゲートを構成する各ゲート部を地中に固定するため、ゲート部下部に必要数設けた埋め込み式脚部
からなる自転車及びオートバイ乗り入れ阻止ゲート。
【請求項２】
中ゲート部が
・阻止ゲートを形成するため、ゲートの中側に設置されるゲート
からなる請求項１記載の自転車及びオートバイ乗り入れ阻止ゲート。
【請求項３】
端ゲート部が
・阻止ゲートを形成するため、ゲートの両端に設置されるゲート
からなる請求項１記載の自転車及びオートバイ乗り入れ阻止ゲート。
【請求項４】
円柱ゲート部が
・阻止ゲートを形成するため、二つの中ゲート、中ゲートと端ゲート又は両端ゲートにより形成される円形状の中心部に設置される円柱のゲート
からなる請求項１記載の自転車及びオートバイ乗り入れ阻止ゲート。
【請求項５】
埋め込み式脚部が
・阻止ゲートを固定するため各ゲート部下部に、それぞれ設けた地中に埋め込むのに適当な長さと大きさの脚
からなる請求項１記載の自転車及びオートバイ乗り入れ阻止ゲート。
【請求項６】
この阻止ゲートを形成する各ゲート部の形態については、ブロック型、格子型、パイプ型、パネル型、穴あきパネル型、網板型、タイル張り型等又はこれらの形態のものを適宜組合せし、ゲートに適合する任意の形態を選定することができるとともに、ゲートとして安全でかつ強固な材料、材質を任意に選定することができ、併せて、この各ゲート部を形成するために必要な連結、接続、固定部材等を任意に選定して使用することができることを特徴とする請求項１記載の自転車及びオートバイ乗り入れ阻止ゲート。
【請求項７】
この阻止ゲートの形成に当たっては、長い直線状の形態の自転車及びオートバイはゲートを通り抜けることができないが、歩行者や長さが短い形態の乳母車、手押し車の利用者がゲートを支障なく通ることができる通行帯の幅、長さ及び曲がり角度並びにゲートの出入口幅及び高さを任意に設定するとともに、各ゲート部を選定した形態に形成した後、各ゲート部を設定間隔に、それぞれ組合せることにより、阻止ゲートを形成することができることを特徴とする請求項１記載の自転車及びオートバイ乗り入れ阻止ゲート。
【請求項８】
この阻止ゲートは、二つ以上の中ゲート又は中ゲートと端ゲート又は両端ゲートを適宜組合せた後、それぞれ円形状になったゲートの中央部に円柱ゲートを備えるごとに、一つのゲートが形成されるとともに、阻止ゲートを設置しようとする場所の実状、面積等に対応した任意数のゲートを設けることができることを特徴とする請求項１記載の自転車及びオートバイ乗り入れ阻止ゲート。
【請求項９】
この阻止ゲートの曲線状に形成された通行帯の両側壁が、長い直線状の形態の自転車及びオートバイには通行障害となるため、自転車及びオートバイが、このゲートを通り抜けることができないことを特徴とする請求項１記載の自転車及びオートバイ乗り入れ阻止ゲート。
【請求項１０】
この阻止ゲートは、歩行者及び長さが短い形態の乳母車、手押し車の利用者については、あらかじめ、阻止ゲートとして設定されたゲートの通行帯を支障なく通ることができることを特徴とする請求項１記載の自転車及びオートバイ乗り入れ阻止ゲート。
【請求項１１】
この阻止ゲートは、一つのゲートの入口側と出口側とも二方向に分かれて通ることができる通行帯を設けているため、対面側から来る歩行者等がいる場合は、もう一方の通行帯を利用することにより、通行妨害が生じないことを特徴とする請求項１記載の自転車及びオートバイ乗り入れ阻止ゲート。
【発明の詳細な説明】
【技術分野】
【０００１】  平成１８年６月の道路交通法の改正によって、違法駐車対策の強化の推進を図るための規定が整備されたことに伴い、新たな場所が違法駐輪の場所として使われるような事態が発生するようになってきました。このことを如実に示しているのが、乗り入れが禁止されている一般の公園内へのオートバイの駐輪です。現在、一般市民の憩いの場所とも言える公園内の広場が、自転車やオートバイの駐輪場として占領されるようになって来ているのが現状です。しかし、これは、自転車とオートバイの専用駐輪場の設置数が少ないことの理由にもよります。行政側もできるだけ早く自転車とオートバイの専用駐輪場を備えられるような配慮をお願いしたいと思います。いずれにしても、自転車やオートバイが一般の公園内を駐輪場代わりに使用することだけは止めなければならないことです。このような事態を招かないためには、監視人による注意や柵の設置などで、自転車やオートバイの乗り入れを止めることもできますが、人手による監視には限界があると思われます。また、柵の設置などによる方法は、見た目にも公園等に設置するものとしては好ましくない感じがしますし、また、自転車とオートバイの利用者に対する対抗的な措置のように受け取られ兼ねません。これらのことを考えると、一般の利用者に迷惑や不便を与えることのない物理的阻止手段により、そして自転車とオートバイの利用者に対しは、対抗的な措置としては受け取られない、理解の得やすい自然な方法により阻止することができれば、これに越したことはありません。公園等の入口に自転車やオートバイが通れる幅があれば、自然に公園内に入るようになってしまうのは人間の心理です。結局は、公園等の入口を一般の人は通ることができても、自転車やオートバイに乗っている人は、ゲートを通れない方法にすればよいと思います。このような状況から、この発明は、公園等の入口に柵を設置して自転車とオートバイを通れなくするのではなく、一般の人が普通に通ることができるゲートを設置することにより、自転車とオートバイを通れなくする方法を取るもので、公園等の入口に設置するものとして外観的にも違和感のない、そして美観を損なわない物理的阻止手段により、自転車及びオートバイの公園等への乗り入れを阻止するためのゲートに関するものである。
【背景技術】
【０００２】  この自転車やオートバイの乗り入れ阻止に係るものについては、従来から通行止めポールや鎖、柵等が使用されているが、これは、自転車やオートバイを通さないと同時に、歩行者や乳母車、手押し車の利用者も通りにくくなったり、また、実際に通れなくなったりするなどして、不便を感じるものであった。このような事情から、長い直線状の形態の自転車やオートバイはゲートを通り抜けることができないが、歩行者や長さが短い形態の乳母車、手押し車の利用者は通ることができるゲートがあれば、便利で都合がよいと考えるようになった。
【発明の開示】
【発明が解決しようとする課題】
【０００３】  以上のような問題を解決するため、この本発明の阻止ゲートの構成要素の一つとなる円柱ゲートをゲートの円形状になった中心部に備えることにより、曲線状に形成された通行帯の両側壁が、長い直線状の形態の自転車及びオートバイにとって、障害となるため、自転車及びオートバイが、この阻止ゲートを通り抜けることができなくなることから、この阻止ゲートを公園等の入口に設置すれば、自転車及びオートバイを乗り入れすることができないのではないかと考えた。一方、歩行者や長さが短い形態の乳母車、手押し車の利用者については、あらかじめ、阻止ゲートの通行帯の幅を、これらの歩行者等が通ることができる幅に設定できるため、このゲートを通って、今までどおり公園等を出入りすることができることになるので、これらの歩行者等が不都合を感じることはない。このようなことから、公園等の入口に外観的にも違和感を与えない、また、公園等の美観も損なわない本発明の自転車及びオートバイ乗り入れ阻止ゲートを設置することにより、問題の解決を図りたい。
【課題を解決するための手段】
【０００４】  上述の課題を解決する本発明の構成要件について、次に説明する。【０００５】  以下は、自転車及びオートバイ乗り入れ阻止ゲートについての説明【０００６】・中ゲート部
・端ゲート部
・円柱ゲート部
・阻止ゲートを構成する各ゲート部を地中に固定するため、ゲート部下部に必要数設けた埋め込み式脚部
からなる。【０００７】中ゲート部が
・阻止ゲートを形成するため、ゲートの中側に設置されるゲート
からなる。【０００８】端ゲート部が
・阻止ゲートを形成するため、ゲートの両端に設置されるゲート
からなる。【０００９】円柱ゲート部が
・阻止ゲートを形成するため、二つの中ゲート、中ゲートと端ゲート又は両端ゲートにより形成される円形状の中心部に設置される円柱のゲート
からなる。【００１０】埋め込み式脚部が
・阻止ゲートを固定するため、各ゲート部下部に、それぞれ設けた地中に埋め込むのに適当な長さと大きさの脚
からなる。【００１１】  この阻止ゲートの形成する各ゲート部の形態については、ブロック型、格子型、パイプ型、パネル型、穴あきパネル型、網板型、タイル張り型等又はこれらの形態のものを適宜組合せし、ゲートに適合する任意の形態を選定することができるとともに、ゲートとして安全でかつ強固な材料、材質を任意に選定することができ、併せて、この各ゲート部を形成するために必要な連結、接続、固定部材等を任意に選定して使用することができることを特徴とする。【００１２】  この阻止ゲートの形成に当たっては、長い直線状の形態の自転車及びオートバイは通り抜けることができないが、歩行者や長さが短い形態の乳母車、手押し車の利用者がゲートを支障なく通ることができる通行帯の幅、長さ及び曲がり角度並びにゲートの出入口幅及び高さを任意に設定するとともに、各ゲート部を選定した形態に形成した後、各ゲートを設定間隔に、それぞれ組合せることにより、阻止ゲートを形成することができることを特徴とする。【００１３】  この阻止ゲートは、二つ以上の中ゲート又は中ゲートと端ゲート又は二つの端ゲートを適宜組合せた後、それぞれ円形状になったゲートの中心部に円柱ゲートを備えるごとに、一つのゲートが形成されるとともに、阻止ゲートを設置しようとする場所の実状、面積等に対応した任意数のゲートを設けることができることを特徴とする。【００１４】  この阻止ゲートの曲線状に形成された通行帯の両側壁が、長い直線状の形態の自転車及びオートバイには障害となるため、自転車及びオートバイがこのゲートを通り抜けることができないことを特徴とする。【００１５】  この阻止ゲートは、歩行者及び乳母車、手押し車の利用者については、あらかじめ阻止ゲートとして設定された通行帯を支障なく通ることができることを特徴とする。【００１６】  この阻止ゲートは、一つのゲートの入口側と出口側とも二方向に分かれて通ることができる通行帯を設けているため、対面側から来る歩行者等がいる場合は、もう一方の通行帯を利用することにより通行妨害が生じないことを特徴とする。
【発明の効果】
【００１７】  この阻止ゲートのゲートを円形状に形成した中心部に円柱ゲートを備えることにより、曲線状に形成された通行帯の両側壁が、長い直線状の形態の自転車及びオートバイには障害となるため、自転車及びオートバイが阻止ゲートを通り抜けることができない。【００１８】  この阻止ゲートは、歩行者及び乳母車、手押し車の利用者については、ゲートに設けた通行帯を支障なく通ることができる。【００１９】  この阻止ゲートは、一つのゲートの入口側と出口側とも二方向に分かれて通ることができる通行帯を設けているため、対面側から来る歩行者等がいる場合は、もう一方の通行帯を利用することにより、通行妨害が生じない。【００２０】  この阻止ゲートは、歩行者専用道路等にも設置し、使用することができる。
【発明を実施するための最良の形態】
【００２１】  この阻止ゲートは、長い直線状の形態の自転車及びオートバイは通ることができないが、歩行者や長さが短い形態の乳母車、手押し車の利用者が、ゲートを支障なく通ることができる通行帯の幅、長さ及び曲がり角度並びにゲートの出入口幅及び高さを任意に設定するとともに、各ゲート部を選定した形態に形成した後、各ゲートを設定間隔にそれぞれ組合せることにより、阻止ゲートを形成することができる。【００２２】  この阻止ゲートを形成する円形状のゲートの中心部に円柱ゲートを備えて、ゲートの通行帯を曲線状に形成することにより、長い直線状の形態の自転車及びオートバイは、このゲートの通行帯の曲線状の両側壁が障害となるため、自転車及びオートバイが阻止ゲートを通り抜けることができないが、この阻止ゲートは、歩行者や長さが短い形態の乳母車、手押し車の利用者については、ゲートに設けた通行帯を支障なく通ることができる。【００２３】  この阻止ゲートは、一つのゲートの入口側と出口側とも二方向に分かれて通ることができる通行帯を設けているため、対面側から来る歩行者等がいる場合は、もう一方の通行帯を利用することにより、通行妨害が生じない。【００２４】  以下、本発明の実施例について、次に説明する。（図面参照）【００２５】  阻止ゲートを地中に固定するため、各ゲート部下部に適宜設ける埋め込み式脚３については、任意の形態で適当な長さを持ち、任意の位置に適当数設けることができる。【００２６】  阻止ゲートを埋め込み式脚３により、地中に固定できない事情がある場合には、各ゲート部下部とゲート設置床とを任意に選定した取り外し可能な固定部材により固定する形態に変更するか、又は各ゲート部下部にストップ機能付きキャスターを備えた据付け移動型の形態に変更した阻止ゲートを設置することができる。【００２７】  この阻止ゲートの形状が、一つのゲートごとに円形状になった中心部に円柱ゲート１を備えることにより、ゲート内の通行帯８が曲線状に形成される。【００２８】  この阻止ゲートの曲線状に形成された通行帯８の両側壁が、長い直線状の形態の自転車及びオートバイには障害となるため、自転車及びオートバイがこのゲートを通り抜けることができない。【００２９】  この阻止ゲートについては、場所的に設置可能であれば、歩行者専用及び乳母車、手押し車利用者専用のそれぞれ専用ゲートを設けることができる。この場合、ゲートの入口７に「歩行者専用」、「乳母車・手押し車利用者専用」と表示しておけば歩行者や利用者が分かり易い。【００３０】  この阻止ゲートを車椅子の利用者も通れるようにする場合には、ゲートを車椅子が通れる形態、大きさに修正して形成するとともに、ゲートの出入口７の位置から、車椅子の利用者が対面側の人を見通せる形態とすることができる。【００３１】  車椅子の利用者が通れるゲートについては、場所的に可能であれば、歩行者や乳母車、手押し車の利用者が通るゲートと区別して、車椅子専用のゲートを設けることができる。この場合、この車椅子専用ゲートの入口に「車椅子利用者専用」と表示すれば分かり易い。【００３２】  この阻止ゲートの形状は、阻止ゲートとしての機能を失わない範囲内での変更ができる。例えば、円形状だけでなく、楕円形、多角形等の形状を任意に選定できる。【００３３】  この阻止ゲートは、歩行者専用道路等にも設置することができるが、その場合には、埋め込み式脚３を設けないで、ゲート据付式等の設置形態に適宜変更できる。【００３４】  ゲート据付式の阻止ゲートを設置する場合には、各ゲート部を任意の形態及び方法により、連結、固定することができる。例えば、アーチ式にする方法や各ゲート部下部を段差のない形態により、連結、固定する方法等が考えられる。【００３５】  ゲート据付式の阻止ゲートを設置する場合には、各ゲート部下部にストップ機能付きの移動用キャスターを適当数備え付けることができる。【００３６】  ゲート据付式の阻止ゲートを歩行者優先道路等に設置する場合には、緊急自動車等の運行に支障のないよう、直ちに、阻止ゲートが移動できるように関係機関にその取り扱い方法等を事前に周知しておくものとする。【００３７】  この阻止ゲートの入口前に、公園等内に乗り入れすることができない自転車及びオートバイの乗り物名を掲示しておけば、公園等利用者への周知の徹底にもなり、違反者も半減すると思われる。例えば、「自転車及びオートバイは、公園内に乗り入れできません。」、「自転車・オートバイ乗り入れ禁止」などの掲示を公園の入口前にして、はっきりと公園等への乗り入れができない旨を来園者に知らせておく。【００３８】  以上、本発明の実施の形態及び実施例を説明したが、本発明の範囲は、これに限定されるものではない。本発明において、使用する材料、材質は鉄材に限られるものではなく、例えば、ステンレス、スチール、アルミ、合成樹脂、タイル、コンクリート、木材等で、本発明を形成する上で耐久性、耐熱性、耐水性及び耐食性に優れ、強度が保てる安全な材料、材質が使用できるとともに、ゲートの形状、デザイン、大きさ、重さ等についても任意に選定することができる。
【図面の簡単な説明】
【００３９】
【図１】本発明の設置前のブロック型円柱ゲートの作成例斜視図である。
【図２】本発明の設置前のブロック型左端ゲートの作成例斜視図である。
【図３】本発明の設置前のブロック型中ゲートの作成例斜視図である。
【図４】本発明の設置前のブロック型右端ゲートの作成例斜視図である。
【図５】本発明の一ゲートを設置したブロック型阻止ゲートの作成例斜視図である。
【図６】本発明の一ゲートを設置したブロック型阻止ゲートの作成例平面図である。
【図７】本発明の二ゲートを設置したブロック型阻止ゲートの作成例斜視図である。
【図８】本発明の二ゲートを設置したブロック型阻止ゲートの作成例平面図である。
【図９】本発明の三ゲートを設置したブロック型阻止ゲートの作成例斜視図である。
【図１０】本発明の三ゲートを設置したブロック型阻止ゲートの作成例平面図である。
【図１１】本発明の設置後のブロック型阻止ゲートの作成例平面図である。
【図１２】本発明の設置後のブロック型阻止ゲートの作成例を平面図である。
【図１３】本発明のゲートの通行帯における対面通行の状態を示す平面図である。
【符号の説明】
【００４０】      １  ブロック型円柱ゲート
２  ブロック型円柱ゲートの側壁
３  埋め込み式脚
４  ブロック型左端ゲート
５  ブロック型中ゲート
６  ブロック型右端ゲート
７  ゲートの出入口
８  ゲートの通行帯
９  通行帯のブロック型側壁
【図１】
2009013760.tif 000003
【図２】
2009013760.tif 000004
【図３】
2009013760.tif 000005
【図４】
2009013760.tif 000006
【図５】
2009013760.tif 000007
【図６】
2009013760.tif 000008
【図７】
2009013760.tif 000009
【図８】
2009013760.tif 000010
【図９】
2009013760.tif 000011
【図１０】
2009013760.tif 000012
【図１１】
2009013760.tif 000013
【図１２】
2009013760.tif 000014
【図１３】
2009013760.tif 000015